(57)【要約】      （修正有）【課題】猫車で土嚢袋を運ぶ場合、猫車に土嚢袋を開口して保持できて素早く土嚢袋に土を詰めることができる土嚢袋の開口、保持装置を提供する。  【解決手段】上方に凹陥型荷台２、下方に一輪車を有して荷台２の後方に二本の操縦用ハンドル３を突出させた猫車Ａを利用する土嚢袋８の開口、保持装置であって、荷台２の直後のハンドル３に載せ架けられるシャフト７と、シャフト７の両側に設けられる水平なリング９と、リング９の輪線にスライド可能に嵌合されて地中に差し込まれる支柱１３と、リング９の中に嵌め込まれて上端を外側に折り返して紐で絞って係止される口を開いた土嚢袋８とからなる。【選択図】図２
0003204974.tif 000002
【実用新案登録請求の範囲】
【請求項１】
上方に凹陥型荷台、下方に一輪車を有して荷台の後方に二本の操縦用ハンドルを突出させた猫車を利用する土嚢袋の開口、保持装置であって、荷台の直後のハンドルに載せ架けられるシャフトと、シャフトの両側に設けられる水平なリングと、リングの輪線にスライド可能に嵌合されて地中に差し込まれる支柱と、リングの中に嵌め込まれて上端を外側に折り返して紐で絞って係止される口を開いた土嚢嚢とからなることを特徴とする猫車を利用する土嚢袋の開口、保持装置。
【請求項２】
ハンドルに載せ架けられるシャフトの部分にハンドルの上方に当てられる平板の当板が設けられており、一方の当板にハンドルを両側から受け入れるコの字板が突設している請求項１の猫車を利用する土嚢袋の開口、保持装置。
【請求項３】
シャフトがハンドルの外側位置で内方に折れてリングが上方に折り畳まれる請求項１又は２の猫車を利用する土嚢袋の開口、保持装置。
【請求項４】
土嚢袋に土が投入されるものであり、このとき土嚢袋の底部は接地している請求項１〜３の猫車を利用する土嚢袋の開口、保持装置。
【請求項５】
シャフト、リング、支柱、当板がステンレス製である請求項１〜４の猫車を利用する土嚢袋の開口、保持装置。
【考案の詳細な説明】
【技術分野】
【０００１】
本考案は、猫車を利用する土嚢袋の開口、保持装置に関するものである。
【背景技術】
【０００２】
津波、洪水、高潮(以下、洪水等という)のときには浸水しそうな個所に土を入れた土嚢袋を積む。このため、公園や遊園地には土を盛り上げて置いており、これを土嚢袋に入れて適当な運搬手段て該当個所に運ぶ。運搬手段としては、狭い所でも入って行ける軽トラックや手押し一輪車(猫車)が多い。中でも、猫車はどんな狭いところでも入って行けるし、簡単で手軽であることから便利である。ところで、土を土嚢袋に効率的に詰めるのは一人ではなかなかできず、袋を開口して保持する補助者を必要とする。
【０００３】
このため、下記特許文献のようなものが提案されている。特許文献１のものは土嚢袋を広げて腕のようなもので支え持って土嚢袋を吊持するものであるが、脚が二本であることから安定が悪く、土嚢袋がずり落ち易い。特許文献２のものは脚が１２四本だけに土嚢袋の取付け、取外しに邪魔になる。加えて、これらに共通するものは運搬手段と関連づけられていないことである。土嚢は使用個所で袋に詰められるということはほとんどなく、詰めた後に如何に手っ取り早く運搬できるかである。
【先行技術文献】
【特許文献】
【０００４】
【特許文献１】特開２００３−２６７３３０号公報
【特許文献２】特開２００５−２６４６８４号公報
【考案の概要】
【考案が解決しようとする課題】
【０００５】
本考案は、土嚢袋作りを運搬手段としては最適な猫車と関連づけたものであり、猫車の傍で土嚢袋を広げて保持し、土嚢袋に土が投入できたなら即座に猫車で運搬できるようにしたものである
【課題を解決するための手段】
【０００６】
以上の課題の下、本考案は、請求項１に記載した、上方に凹陥型荷台、下方に一輪車を有して荷台の後方に二本の操縦用ハンドルを突出させた猫車を利用する土嚢袋の開口、保持装置であって、荷台の直後のハンドルに載せ架けられるシャフトと、シャフトの両側に設けられる水平なリングと、リングの輪線にスライド可能に嵌合されて地中に差し込まれる支柱と、リングの中に嵌め込まれて上端を外側に折り返して紐で絞って係止される口を開いた土嚢嚢とからなることを特徴とする猫車を利用する土嚢袋の開口、保持装置を提供したものである。
【０００７】
これにおいて、本考案は、請求項２に記載した、ハンドルに載せ架けられるシャフトの部分にハンドルの上方に当てられる平板の当板が設けられており、一方の当板にハンドルを両側から受け入れるコの字板が突設している構成、請求項３に記載した、シャフトがハンドルの外側位置で内方に折れてリングが上方に折り畳まれる構成、請求項４に記載した、土嚢袋に土が投入されるものであり、このとき土嚢袋の底部は接地している構成、請求項５に記載した、シャフト、リング、支柱、当板がステンレス製である構成を提供する。
【考案の効果】
【０００８】
請求項１の発明によれば、土嚢袋を猫車のハンドルに吊るして土を投入することができるから、土嚢袋を広げて持つ補助者が不要になり、土の封入が素早くできるし、二袋連続してできるから。効率的である。そして、土嚢袋に土が投入されたなら、即座に荷台に積んで運搬できるから、早く運搬できる。このとき、猫車であるから、狭いところにも入って行ける。
【０００９】
請求項２の構成によれば土嚢袋を支えるシャフトが横ずれしたりせずに安定する。請求項３の構成によれば猫車がより狭い個所に入って行ける。請求項４の構成によれば土嚢袋全体に土の重量(約２０Ｋｇ)がかからず、土嚢袋がずり落ちたりしない。請求項４の構成によれば錆たりしないから怪我等を負わない。
【図面の簡単な説明】
【００１０】
【図１】土嚢袋を積んた猫車の側面図である。
【図２】土嚢袋を積んた猫車の後面図である。
【図３】土嚢袋を積んた猫車の平面図である。
【考案を実施するための形態】
【００１１】
以下、本考案の実施の形態を図面を参照して説明する。本考案では、猫車Ａが重要な要件となる。猫車Ａ自体は汎用のものでよい。つまり、平板状の主フレーム１に凹陥型の荷台２を載せ、後部に二本のハンドル３を突出させている。主フレーム１の前部下部には車輪フレーム４を垂下させ、これにゴム製の一輪型車輪５を取り付けている。車輪５の後部のハンドル３の下部にはスタンドを兼ねるスタンドフレーム６を二本設けている。
【００１２】
本考案は、この猫車Ａを利用する土嚢袋の開口、保持装置(以下、保持装置という)であり、この保持装置は、荷台２の後端付近のハンドル３の上に上にシャフト７を渡し、シャフト７の両端に土嚢袋８を開口させて吊持するのである。具体的には、シャフト７の両端にリング９を水平に形成し、リング９に土嚢袋８を上から潜らせ、土嚢袋８の上端をリング９の外側に折り返し、上端の紐１０を絞っておくのである。これにより、土嚢袋８は開口してリング８に吊り下げられた状態となる。この点で、リング８の大きさは土嚢袋８の大きさ(広げると大体２８０ｍｍ程度になる)に合わせたものにしておく。なお、土嚢袋８に土を入れて行くと、重量が重くなるのて、底面は接地させておく。
【００１３】
シャフト７はハンドル３の上に載るのであるが、土の重み等でシャフト７が動いたりしてははならないので、シャフト７に当たる部分の上面に当板１１を設けておく。シャフト７と当板１１とは溶着等で一体化しておく。当板１１は両側に設けるが、一方のものにはハンドル３を挟むコの字板１２を下方に突設させておくが、他方には設けない。ハンドル３の広さは往々にして違うから、それに対処したものであり、シャフト７の横ずれを防ぐためである。この他、リング９の輪線には支柱１３がスライド可能に嵌合されている。
【００１４】
ところで、シャフト７とリング９は別物にしてピン１４でつないでいる。したがって、リング９はピン１４の部分で上方に屈曲して折り畳めるようになっている(図２)。なお、下には動かないように近辺にストッパ１５を設けている。狭い道に分け入るような場合、リング９が邪魔にならないようにするためである。同様な理由と荷台２に積み易くするために、シャフト７は中心付近で二分されており、接続して使用するようになっている。接続の構造の詳細は省略するが、大小の径のものを差込み式にすればよい(図３)。ある程度の重合代があれば、別段止め構造は必要ない。
【００１５】
以上により、土嚢袋８が必要になったときには、この保持装置を猫車Ａの荷台２に載せて土が集積してある場所に急ぐ。現場に着いたら、保持装置を組み立ててそのシャフト７をハンドル３の上に置く。このとき、支柱１３を地中に埋めて安定を図る(支柱１３は一本に限らない)。支柱１３がリング９の輪線上をスライドできるのは支柱１３を最適な位置に刺入するためである。次いで、そのリング９に土嚢袋８をセットしてスコップ等で土を土嚢袋８に入れて行く。両方の土嚢袋８が土で一杯になったなら(片方だけでもよいが)、土嚢袋８をリング９から外し、紐１０で口を縛る。そして、これを猫車Ａの荷台２に載せて浸水のおそれがある場所まで運搬する。このとき、シャフト７をピン１３の個所で折ってリング９を上方に折り畳んでおけば、シャフト７はそのままでも狭い道を分け入ることができる。また、シャフト７を分割して荷台２に積んでもよい。
【符号の説明】
【００１６】
Ａ  猫車
１  主フレーム
２  荷台
３  ハンドル
４  車輪フレーム
５  車輪  
６  スタンドフレーム
７  シャフト
８  土嚢袋
９  リング
１０  紐
１１  当板
１２  コの字型板
１３  支柱
１４  ピン
１５  ストッパ
【図１】
0003204974.tif 000003
【図２】
0003204974.tif 000004
【図３】
0003204974.tif 000005
【手続補正書】
【提出日】平成28年4月19日(2016.4.19)
【手続補正１】
【補正対象書類名】実用新案登録請求の範囲
【補正対象項目名】全文
【補正方法】変更
【補正の内容】
【実用新案登録請求の範囲】
【請求項１】
上方に凹陥型荷台、下方に一輪車を有して荷台の後方に二本の操縦用ハンドルを突出させた猫車を利用する土嚢袋の開口、保持装置であって、荷台の直後のハンドルに載せ架けられるシャフトと、シャフトの両側に設けられる水平なリングと、リングの輪線にスライド可能に嵌合されて地中に差し込まれる支柱と、リングの中に嵌め込まれて上端を外側に折り返して紐で絞って係止される口を開いた土嚢袋とからなることを特徴とする猫車を利用する土嚢袋の開口、保持装置。
【請求項２】
ハンドルに載せ架けられるシャフトの部分にハンドルの上方に当てられる平板の当板が設けられており、一方の当板にハンドルを両側から受け入れるコの字板が突設している請求項１の猫車を利用する土嚢袋の開口、保持装置。
【請求項３】
シャフトがハンドルの外側位置で内方に折れてリングが上方に折り畳まれる請求項１又は２の猫車を利用する土嚢袋の開口、保持装置。
【請求項４】
土嚢袋に土が投入されるものであり、このとき土嚢袋の底部は接地している請求項１〜３いずれかの猫車を利用する土嚢袋の開口、保持装置。
【請求項５】
シャフト、リング、支柱、当板がステンレス製である請求項１〜４いずれかの猫車を利用する土嚢袋の開口、保持装置。